【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
複数の通信チャネルが用意されている通信環境下において、通信局がランダム・アクセスを行なう無線通信システムであって、
パケットを送信する通信局は、パケット単位で通信チャネルを割り当てる、
ことを特徴とする無線通信システム。
【請求項２】
複数の通信チャネルが用意されている通信環境下で通信動作を行なう無線通信装置であって、
パケットを送信するパケット送信手段と、
パケットを受信するパケット受信手段と、
前記パケット送信手段及び前記パケット受信手段におけるパケット送受信用の通信チャネルを設定する通信チャネル設定手段とを備え、
前記通信チャネル設定手段は、パケット送信時にはパケット単位で通信チャネルを割り当て、パケット受信時にはパケット単位での通信チャネル切り替えに追従する、
ことを特徴とする無線通信装置。
【請求項３】
前記通信環境に関する情報を含んだビーコン信号を生成するビーコン生成手段と、
周辺局から受信したビーコン信号を解析するビーコン解析手段をさらに備え、
前記通信チャネル設定手段は、ビーコン送信に使用する通信チャネルとは無関係に、パケット送信に使用する通信チャネルを個別に割り当てる、
ことを特徴とする請求項２に記載の無線通信装置。
【請求項４】
前記パケット送信手段は、前記通信チャネル設定手段により設定された通信チャネルの識別情報を送信パケットのプリアンブル部に含ませ、
前記パケット受信手段はプリアンブル部を検出し、前記通信チャネル設定手段はプリアンブル部の検出結果に基づいてパケット単位での通信チャネルの切り替えに追従する、
ことを特徴とする請求項２に記載の無線通信装置。
【請求項５】
前記通信環境下では、同じ周波数帯を利用し、拡散符号の相違により分離される複数の通信チャネルが使用され、
前記パケット受信手段は、各通信チャネルに相当する拡散符号との相関を並列的に求め、各相関値との閾値比較に基づいてプリアンブルを検出し、
前記通信チャネル設定手段は、プリアンブルの検出結果に基づいて、受信パケットに対して割り当てられた通信チャネルを判定する、
ことを特徴とする請求項２に記載の無線通信装置。
【請求項６】
前記通信環境下では、単一の周波数帯からなるパケットのプリアンブル部送信用の制御チャネルと、周波数帯の相違により分離される複数の周波数チャネルで構成されるパケットのデータ部送信用のデータ・チャネルが設けられており、
前記パケット送信手段は、データ・チャネルにおいて使用する周波数チャネルと１対１で対応する拡散符号によって決められるプリアンブル・パターンからなるプリアンブル部を送信した後、該拡散符号に対応する周波数帯からなるデータ・チャネルにおいてパケットのデータ部を送信し、
前記パケット受信手段は、パケットのプリアンブル部と各周波数チャネルに相当する拡散符号との相関を並列的に求め、各相関値との閾値比較に基づいて拡散符号を検出し、該検出した拡散符号に相当する周波数チャネルでパケットのデータ部を受信処理する、
ことを特徴とする請求項２に記載の無線通信装置。
【請求項７】
前記通信環境下では、複数の直交分離チャネルが利用可能であり、直交分離チャネルを一定間隔の１乃至は複数シンボル毎に切り替える固有のホッピング・パターンにより通信チャネルが定義され、複数の直交分離チャネルにおけるホッピング・パターンの相違により分離される複数の通信チャネルが構成される、
ことを特徴とする請求項２に記載の無線通信装置。
【請求項８】
前記パケット送信手段は、パケットのプリアンブル部を、データ部と同じホッピング・パターンで伝送する、
ことを特徴とする請求項７に記載の無線通信装置。
【請求項９】
前記パケット送信手段は、ホッピング・パターンと１対１で対応するプリアンブル・パターンを少なくとも１つの直交分離チャネル上で送信し、
前記パケット受信手段は、前記１つの直交分離チャネル上でプリアンブル部を受信して得られるプリアンブル・パターンに基づいてホッピング・パターンを識別し、該識別されたホッピングを行なうことでデータ部の受信する、
ことを特徴とする請求項１３に記載の無線通信装置。
【請求項１０】
前記パケット送信手段は、ホッピング・パターンと１対１で対応する拡散符号によって決められるプリアンブル・パターンを前記１つの直交分離チャネル上で送信し、
前記パケット受信手段は、プリアンブル・パターンと各ホッピング・パターンに相当する拡散符号との相関を並列的に求め、各相関値との閾値比較に基づいて拡散符号を検出し、該検出した拡散符号に相当するホッピング・パターンに従ってパケットのデータ部を受信処理する、
ことを特徴とする請求項７に記載の無線通信装置。
【請求項１１】
前記パケット送信手段は、すべての通信チャネルで共通の拡散符号を用いてプリアンブル・パターンを決定し、少なくとも１つの直交分離チャネル上において各シンボルのプリアンブル・パターンに通信チャネルを識別する情報を重畳し、
前記パケット受信手段は、前記１つの直交分離チャネル上で、シンボル毎のプリアンブル・パターンと前記共通の拡散符号との相関値を累積加算して、通信チャネルを分離する、
ことを特徴とする請求項７に記載の無線通信装置。
【請求項１２】
前記パケット受信手段は、各通信チャネルに対応したプリアンブル部を検出する複数のプリアンブル検出部を並列的に動作させ、最も早く検出できたプリアンブル部に対応する通信チャネルにおけるパケットの受信動作を起動する、
ことを特徴とする請求項４に記載の無線通信装置。
【請求項１３】
前記通信チャネル設定手段は、各通信方向で使用する通信チャネルを事前に選択し、通信相手に通知する、
ことを特徴とする請求項２に記載の無線通信装置。
【請求項１４】
通信相手と通信チャネル並びに使用する帯域を事前に決定し、
前記パケット受信手段は、該事前に決定された帯域において、該事前に決定された通信チャネル上でのみプリアンブル検出を行なう、
ことを特徴とする請求項１３に記載の無線通信装置。
【請求項１５】
前記パケット送信手段は、所要ＳＩＮＲを満たす最小の電力でパケットを送信するように送信電力制御を行ない、
前記パケット受信手段は、プリアンブル検出時の閾値を調整し、希望のパケットのみ検出できるようにする、
ことを特徴とする請求項２に記載の無線通信装置。
【請求項１６】
複数の通信チャネルが用意されている通信環境下で通信動作を行なうための無線通信方法であって、
パケット送信用の通信チャネルをパケット単位で割り当てる通信チャネル設定ステップと、
該設定した通信チャネルの識別情報を含んだプリアンブル部を付加したパケットを該設定した通信チャネル上で送信するパケット送信ステップと、
受信したパケットのプリアンブル部を検出するプリアンブル検出ステップと、
プリアンブル部の検出結果に基づいてパケットを受信する通信チャネルに切り替えてパケットのデータ部を受信するパケット受信ステップと、
を具備することを特徴とする無線通信方法。
【請求項１７】
複数の通信チャネルが用意されている通信環境下で通信動作を行なうための処理をコンピュータ上で実行するようにコンピュータ可読形式で記述されたコンピュータ・プログラムであって、前記コンピュータに対し、
パケット送信用の通信チャネルをパケット単位で割り当てる通信チャネル設定手順と、
該設定した通信チャネルの識別情報を含んだプリアンブル部を付加したパケットを該設定した通信チャネル上で送信するパケット送信手順と、
受信したパケットのプリアンブル部を検出するプリアンブル検出手順と、
プリアンブル部の検出結果に基づいてパケットを受信する通信チャネルに切り替えてパケットのデータ部を受信するパケット受信手順と、
を実行させることを特徴とするコンピュータ・プログラム。